(57)【要約】【課題】照射光の強度に適した作動を可能にした制御装置及び防眩装置を提供する。【解決手段】サンバイザ２は、照射光の光透過率可変させる遮光部１０と、照射光の強度を検出する照度検出部１１と、遮光部１０の光透過率を制御する遮光制御部１３と、照度検出部１１の検出結果を基に遮光制御部１３への電源供給を制御する電源制御部１４とを備える。電源制御部１４は、照射光の強度が小さい場合に防眩の作動に必要な電源の供給を低下させる。【選択図】図２
2020006874.tif 000002
【特許請求の範囲】
【請求項１】
照射光の光透過率を可変させて防眩する防眩装置の制御装置であって、
前記照射光の強度が小さい場合に前記防眩の作動に必要な電源の供給を低下させる電源制御部を備える制御装置。
【請求項２】
照射光の光透過率を可変させて防眩する防眩装置であって、
前記照射光の強度が小さい場合に前記防眩の作動に必要な電源の供給を低下させる電源制御部と、
前記照射光の光透過率が可変する遮光部と、
前記照射光の強度を検出する照度検出部と、
前記照度検出部の検出結果を基に前記遮光部の光透過率を制御する遮光制御部とを備え、
前記電源制御部は、前記照度検出部の検出結果を基に前記遮光制御部への電源供給を制御する防眩装置。
【請求項３】
前記照度検出部は、前記遮光部又は前記遮光部を支持する支持体に設けられている
請求項２に記載の防眩装置。
【請求項４】
前記遮光部は、前記照射光を遮る位置にある使用状態と、前記照射光を遮らない位置にある非使用状態との２状態を選択的にとるように設けられ、
前記照度検出部は、前記遮光部が前記非使用状態の場合に前記使用状態のときより前記照射光の強度が小さくなる位置に配置される
請求項３に記載の防眩装置。
【請求項５】
前記遮光部の第１の面に照射される前記照射光の強度を検出する第１照度検出部と、
前記遮光部の前記第１の面と反対側の第２の面に照射される前記照射光の強度を検出する第２照度検出部とを備え、
前記電源制御部は、前記第１照度検出部及び前記第２照度検出部の検出結果に基づいて、前記遮光制御部への電源供給を制御し、
前記遮光制御部は、前記第１照度検出部及び前記第２照度検出部の検出結果に基づいて、前記遮光部の光透過率を制御する
請求項２〜４のうちいずれか一項に記載の防眩装置。
【請求項６】
前記電源制御部は、前記第１照度検出部及び前記第２照度検出部の検出結果のうち、強度の小さい方を基に前記遮光制御部への電源供給を制御し、
前記遮光制御部は、前記第１照度検出部及び前記第２照度検出部の検出結果のうち、強度の大きい方を基に前記遮光部の光透過率を制御する
請求項５に記載の防眩装置。
【請求項７】
照射光の光透過率を可変させて防眩する防眩装置の制御装置であって、
一方から照射される前記照射光の強度と、前記一方と反対側の他方から照射される前記照射光の強度とを比較し、これら照射光の強度の大きい方に基づき前記光透過率を制御する遮光制御部を備える制御装置。
【請求項８】
照射光の光透過率を可変させて防眩する防眩装置であって、
一方から照射される前記照射光の強度と、前記一方と反対側の他方から照射される前記照射光の強度とを比較し、これら照射光の強度の大きい方に基づき前記光透過率を制御する遮光制御部と、
第１の面と当該第１の面の反対側の第２の面とを備えるとともに前記照射光の前記光透過率が可変する遮光部と、
前記遮光部の前記第１の面に照射される前記照射光の強度を検出する第１照度検出部と、
前記遮光部の前記第２の面に照射される前記照射光の強度を検出する第２照度検出部とを備え、
前記遮光制御部は、前記第１照度検出部及び前記第２照度検出部の検出結果のうち、強度の大きい方を基に前記遮光部の光透過率を制御する防眩装置。
【発明の詳細な説明】
【技術分野】
【０００１】
本発明は、制御装置及び防眩装置に関する。
【背景技術】
【０００２】
従来、車両等の乗員に対して照射される照射光を減光して防眩を行う防眩装置が周知である。特許文献１に記載の防眩装置であるサンバイザは、印加電圧に応じて着色されて光透過率を変化させる遮光部を備える。この遮光部は、例えば軸回りに回転可能に設けられることにより、収納位置と使用位置との２位置をとる。遮光部が使用位置又は収納位置のどちらに位置するのかが接点のＯＮ／ＯＦＦで判定され、その判定結果を基に遮光部への電源供給が制御される。
【先行技術文献】
【特許文献】
【０００３】
【特許文献１】特開２００２−３２１５２９号公報
【発明の概要】
【発明が解決しようとする課題】
【０００４】
ところで、このようなサンバイザでは、照射光の強度に応じた適切な作動（例えば、電源供給の切り替え）を実現したいニーズがあった。
本発明の目的は、照射光の強度に適した作動を可能にした制御装置及び防眩装置を提供することにある。
【課題を解決するための手段】
【０００５】
上記課題を解決するための制御装置は、照射光の光透過率を可変させて防眩する防眩装置の制御装置であって、前記照射光の強度が小さい場合に前記防眩の作動に必要な電源の供給を低下させる電源制御部を備える。
【０００６】
この構成によれば、照射光の強度が小さい場合には、防眩の作動に必要な電源供給を低下させることにより、防眩装置を省電力化する。このように、防眩装置を照射光の強度に適した態様に作動させることが可能となる。
【０００７】
上記課題を解決するための防眩装置は、照射光の光透過率を可変させて防眩する防眩装置であって、前記照射光の強度が小さい場合に前記防眩の作動に必要な電源の供給を低下させる電源制御部と、前記照射光の光透過率が可変する遮光部と、前記照射光の強度を検出する照度検出部と、前記照度検出部の検出結果を基に前記遮光部の光透過率を制御する遮光制御部とを備え、前記電源制御部は、前記照度検出部の検出結果を基に前記遮光制御部への電源供給を制御する。
【０００８】
この構成によれば、照度検出部の出力を用いて遮光制御部への電源供給を好適に制御することができる。これにより、防眩装置を照射光の強度に適した態様に作動させることが可能となる。
【０００９】
前記防眩装置において、前記照度検出部は、前記遮光部又は前記遮光部を支持する支持体に設けられていることが好ましい。この構成によれば、照度検出部は、遮光部と別個に配置される場合と比較して、遮光部に照射する照射光の強度を検出し易くなる。これは、照射光の強度に適した遮光部の作動の確保に有利である。
【００１０】
前記防眩装置において、前記遮光部は、前記照射光を遮る位置にある使用状態と、前記照射光を遮らない位置にある非使用状態との２状態を選択的にとるように設けられ、前記照度検出部は、前記遮光部が前記非使用状態の場合に前記使用状態のときより前記照射光の強度が小さくなる位置に配置されることが好ましい。この構成によれば、使用状態と非使用状態とでは、照度検出部の検出する照射光の強度が異なる。よって、遮光部が使用状態か非使用状態かを照射光の強度により容易に判別することが可能となる。これは、防眩装置の照射光の強度に適した作動の確保に一層有利となる。
【００１１】
前記防眩装置において、前記遮光部の第１の面に照射される前記照射光の強度を検出する第１照度検出部と、前記遮光部の前記第１の面と反対側の第２の面に照射される前記照射光の強度を検出する第２照度検出部とを備え、前記電源制御部は、前記第１照度検出部及び前記第２照度検出部の検出結果に基づいて、前記遮光制御部への電源供給を制御し、前記遮光制御部は、前記第１照度検出部及び前記第２照度検出部の検出結果に基づいて、前記遮光部の光透過率を制御することが好ましい。この構成によれば、第１照度検出部及び第２照度検出部により、遮光部に対して反対方向から照射する照射光をそれぞれ検出することが可能になるとともに、これら照射光の強度に基づいて電源供給及び光透過率を制御することが可能になる。これは、防眩装置の照射光の強度に適した作動の確保に一層有利となる。
【００１２】
前記防眩装置において、前記電源制御部は、前記第１照度検出部及び前記第２照度検出部の検出結果のうち、強度の小さい方を基に前記遮光制御部への電源供給を制御し、前記遮光制御部は、前記第１照度検出部及び前記第２照度検出部の検出結果のうち、強度の大きい方を基に前記遮光部の光透過率を制御することが好ましい。この構成によれば、照射光の強度が小さい場合に遮光制御部への電源供給を切り替える場合に、照射光の強度の小さい方に基づいて制御することで、確実に電源供給を切り替えることができる。また、照射光の強度の大きい方に合わせて遮光部の光透過率を変化させることができるので、眩しさを抑制できる。よって、防眩装置の照射光の強度に適した作動の確保に一層有利となる。
【００１３】
上記課題を解決するための制御装置は、照射光の光透過率を可変させて防眩する防眩装置の制御装置であって、一方から照射される前記照射光の強度と、前記一方と反対側の他方から照射される前記照射光の強度とを比較し、これら照射光の強度の大きい方に基づき前記光透過率を制御する遮光制御部を備える。
【００１４】
この構成によれば、反対方向から照射する照射光をそれぞれ検出し、それら照射光の強度の大きい方に基づいて、光透過率を制御する。そのため、照射光の強度に応じて光透過率を適切に制御することが可能になる。よって、防眩装置を照射光の強度に適した態様に作動させることが可能となる。
【００１５】
上記課題を解決するための防眩装置は、照射光の光透過率を可変させて防眩する防眩装置であって、一方から照射される前記照射光の強度と、前記一方と反対側の他方から照射される前記照射光の強度とを比較し、これら照射光の強度の大きい方に基づき前記光透過率を制御する遮光制御部と、第１の面と当該第１の面の反対側の第２の面とを備えるとともに前記照射光の前記光透過率が可変する遮光部と、前記遮光部の前記第１の面に照射される前記照射光の強度を検出する第１照度検出部と、前記遮光部の前記第２の面に照射される前記照射光の強度を検出する第２照度検出部とを備え、前記遮光制御部は、前記第１照度検出部及び前記第２照度検出部の検出結果のうち、強度の大きい方を基に前記遮光部の光透過率を制御する。
【００１６】
この構成によれば、第１照度検出部及び第２照度検出部の出力を用いて遮光部の光透過率を好適に制御することができる。これにより、防眩装置を照射光の強度に適した態様に作動させることが可能となる。
【発明の効果】
【００１７】
本発明の制御装置及び防眩装置は、照射光の強度に適した作動を可能にする。
【図面の簡単な説明】
【００１８】
【図１】（ａ）は第１実施形態のサンバイザを側方から見た状態の構成図、（ｂ）は第１実施形態のサンバイザを正面に見た状態の構成図。
【図２】第１実施形態のサンバイザの構成を示すブロック図。
【図３】第１実施形態における防眩の作動を制御する流れを示すフロー図。
【図４】第１実施形態における使用状態及び非使用状態を示す図。
【図５】第２実施形態のサンバイザの構成図。
【図６】第２実施形態のサンバイザの構成を示すブロック図。
【図７】第２実施形態における防眩の作動を制御する流れを示すフロー図。
【図８】第２実施形態における使用状態及び非使用状態を示す図。
【図９】サンバイザのフロント使用状態とサイド使用状態とを示す図。
【図１０】第３実施形態のサンバイザの構成を示すブロック図。
【発明を実施するための形態】
【００１９】
＜第１実施形態＞
本発明の制御装置及び防眩装置の第１実施形態を、図１〜４に従って説明する。
図１（ａ）及び図１（ｂ）に示すように、防眩装置１（本例ではサンバイザ２）は、車両内部のウインドシールドガラス３（所謂フロントガラス）の近傍に設置されている。サンバイザ２は、車内の天井４に仮設された支持軸５に回動可能に取り付けられた支持体６を備える。
【００２０】
支持体６は、長方形の開口部７を有する板状に形成されている。サンバイザ２は、支持体６の開口部７に一体的に取り付けられるとともに車両の乗員に対して照射される照射光を減光（遮光）し防眩を行う遮光部１０を備える。遮光部１０は、印加電圧に応じて光透過率を変化させることにより、照射光に対して遮光を行う。遮光部１０は、例えば、印加電圧に応じて発色（光透過率が低下）するエレクトロクロミック素子を含有し、印加電圧の無い状態で透明のディスプレイが使用できる。
【００２１】
支持体６は、支持軸５の軸Ｌ１を中心に、ウインドシールドガラス３及び天井４の間で互いに接近又は離間するように回動する。サンバイザ２は、支持体６が天井４に接近している場合、遮光部１０が照射光を遮らない位置にある非使用状態をとる。また、サンバイザ２は、支持体６が天井４から離間している場合、遮光部１０が照射光を遮る位置にある使用状態をとる。
【００２２】
サンバイザ２は、照射光の受光強度を検出する照度検出部１１を備える。照度検出部１１には、例えば、周知の照度計を用いることができる。照度検出部１１は、検出した受光強度に応じて検出信号Ｓｄを出力する。検出信号Ｓｄは、受光強度が大きい（明るい）とき出力値が大きく、受光強度が小さい（暗い）とき出力値が小さくなる。照度検出部１１は、サンバイザ２が非使用状態のとき、支持体６において天井４に対向する位置に設置されている。
【００２３】
図１及び図２に示すように、サンバイザ２は、サンバイザ２の防眩の作動を制御するコントローラ１２を備える。本例のコントローラ１２は、支持体６に設けられている。
図２に示すように、コントローラ１２は、照度検出部１１の検出信号Ｓｄを基に、遮光部１０への光透過率を制御する遮光制御部１３を備えている。本例の遮光制御部１３は、遮光部１０へ印加する電圧を変化させることで遮光部１０の光透過率を変化させる。遮光制御部１３は、照度検出部１１の検出信号Ｓｄの出力値が増加するのに従い、遮光部１０の光透過率を低下（印加電圧を増加）させる。
【００２４】
コントローラ１２は、照射光の強度が小さい場合に、防眩の作動に必要な電源の供給を低下させる電源制御部１４を備えている。電源制御部１４は、照度検出部１１の検出信号Ｓｄに基づき電源（不図示）から遮光制御部１３へ供給される電源を制御する。例えば、電源制御部１４は、照度検出部１１の検出信号Ｓｄが閾値以下である場合に、遮光制御部１３への電源の供給を停止（禁止）する。
【００２５】
次に、第１実施形態におけるサンバイザ２の作用及び効果について、図３〜４を用いて説明する。ここでは、サンバイザ２の防眩の作動において、電源制御部１４における電源供給の制御について説明する。
【００２６】
図３に示すように、ステップＳ１０１では、電源制御部１４は、照度検出部１１の検出信号Ｓｄが閾値ｔよりも大きいかどうかを判定する。検出信号Ｓｄが閾値ｔよりも大きい場合、電源制御部１４は、ステップＳ１０２へ移行する。一方、検出信号Ｓｄが閾値ｔ以下である場合、電源制御部１４は、ステップＳ１０３へ移行する。
【００２７】
ステップＳ１０２では、電源制御部１４は、遮光制御部１３への電源供給を許可する。これにより、遮光制御部１３は、照度検出部１１の検出信号Ｓｄに基づき、遮光部１０の光透過率を制御し、防眩の作動を行う。
【００２８】
ステップＳ１０３では、電源制御部１４は、遮光制御部１３への電源供給を停止（禁止）する。これにより、照射光の強度が小さい場合、すなわち暗い場合には、遮光制御部１３への電源供給を停止することができる。よって、サンバイザ２の省電力化が可能であり、この点において照射光の強度に適した作動を可能にする。
【００２９】
図４に示すように、サンバイザ２は、遮光部１０が照射光を遮る位置にある使用状態と、遮光部１０が照射光を遮らない位置にある非使用状態をとる。ここで、サンバイザ２が非使用状態のとき、乗員がサンバイザ２を使用していないと判断できる。そのため、サンバイザ２は、非使用状態では防眩の作動に必要な電源の供給を低下させることが好ましい。ところで、本例の場合、照度検出部１１は、非使用状態のときに天井４に対向する位置に設置されている。そのため、照度検出部１１の検出信号Ｓｄは、非使用状態の場合、使用状態のときと比較して小さい値をとる。これは、非使用状態では、図４中に破線で示した照度検出部１１の受光範囲が天井によって遮られるためである。このように、照度検出部１１を非使用状態の場合に受光強度が小さくなる位置に配置することによって、サンバイザ２が非使用状態のときには、検出信号Ｓｄが閾値ｔ以下になり、電源制御部１４は、遮光制御部１３への電源供給を停止（禁止）することができる。
【００３０】
本例では、照射光の強度が小さい場合に防眩の作動に必要な電源の供給を低下させる電源制御部１４を備えた。この構成によれば、照射光の強度に基づいて電源供給を低下させることができる。よって、防眩装置１を照射光の強度に適した態様に作動させることが可能となる。
【００３１】
本例では、照射光の強度を検出する照度検出部１１と、遮光部１０の光透過率の制御を行う遮光制御部１３とを備えた。この構成によれば、照度検出部１１の検出信号Ｓｄの出力値に基づき電源供給を好適に制御することができる。これにより、防眩装置１を照射光の強度に適した態様に作動させることが可能となる。
【００３２】
本例では、照度検出部１１は、遮光部１０を支持する支持体６に設けられた。この構成によれば、照度検出部１１は、遮光部１０と別個に配置される場合と比較して、遮光部１０に照射する照射光の強度を検出し易くなる。これは、照射光の強度に適した遮光部１０の作動の確保に有利である。
【００３３】
本例では、遮光部１０は、照射光を遮る位置にある使用状態と、照射光を遮らない位置にある非使用状態との２状態を選択的にとるように設けられ、照度検出部１１は、遮光部１０が非使用状態の場合に使用状態のときより照射光の強度が小さくなる位置に配置された。この構成によれば、使用状態と非使用状態とでは、照度検出部１１の検出する照射光の強度が異なる。よって、遮光部１０が使用状態か非使用状態かを照射光の強度で判別することが容易となる。これは、防眩装置１の照射光の強度に適した作動の確保に一層有利となる。
【００３４】
＜第２実施形態＞
次に、本発明の制御装置及び防眩装置の第２実施形態を、図５〜８に従って説明する。なお、第２実施形態は、複数の照度検出部を備える点で第１実施形態と主に異なる。従って、第１実施形態と同一の部材構成については、同一の符号を付し、その詳細な説明を省略し、異なる部分のみ詳述する。
【００３５】
図５に示すように、遮光部１０が非使用状態のときに天井４に向いている面を第１の面２１とし、遮光部１０の第１の面の反対側の面を第２の面２２とする。第２の面２２は、使用状態のときにウインドシールドガラス３に対向する。
【００３６】
サンバイザ２は、遮光部１０の第１の面２１に照射される照射光の受光強度を検出する第１照度検出部２３を備える。また、サンバイザ２は、遮光部１０の第２の面２２に照射される照射光の受光強度を検出する第２照度検出部２４を備える。第１照度検出部２３は、支持体６において遮光部１０の第１の面２１側に設置されている。また、第２照度検出部２４は、支持体６において遮光部１０の第２の面２２側に設置されている。
【００３７】
図６に示すように、第１照度検出部２３は、照射光の受光強度に従って検出信号Ｓｄ１をコントローラ１２へ出力する。また、第２照度検出部２４は、照射光の受光強度に従って検出信号Ｓｄ２をコントローラ１２へ出力する。
【００３８】
電源制御部１４は、検出信号Ｓｄ１及び検出信号Ｓｄ２の小さい方に基づき遮光制御部１３への電源供給を制御する。ここで、サンバイザ２が非使用状態に位置する場合、第１照度検出部２３が天井４に隠れることとなるので、第１照度検出部２３の検出信号Ｓｄ１が第２照度検出部２４の検出信号Ｓｄ２よりも低い値となり、この検出信号Ｓｄ１により、サンバイザ２が非使用状態にあると判定して差し支えない。これにより、例えば、電源制御部１４は、検出信号Ｓｄ１及び検出信号Ｓｄ２の小さい方が閾値ｔ１以下である場合、遮光制御部１３への電源供給を停止（禁止）する。
【００３９】
遮光制御部１３は、遮光制御部１３に電源が供給されている場合、検出信号Ｓｄ１及び検出信号Ｓｄ２の大きい方に基づき遮光部１０の光透過率を制御する。例えば、遮光制御部１３は、検出信号Ｓｄ１及び検出信号Ｓｄ２の大きい方の出力値が増加するのに従い、遮光部１０の光透過率を低下（印加電圧を増加）させる。
【００４０】
次に、第２実施形態におけるサンバイザ２の作用及び効果を、図７〜８に従って説明する。
図７に示すように、ステップＳ２０１では、電源制御部１４は、検出信号Ｓｄ１及び検出信号Ｓｄ２の小さい方が閾値ｔ１よりも大きいかどうかを判定する。検出信号Ｓｄ１及び検出信号Ｓｄ２の小さい方が閾値ｔ１よりも大きい場合、電源制御部１４は、ステップＳ２０２へ移行する。一方、検出信号Ｓｄ１及び検出信号Ｓｄ２の小さい方が閾値ｔ１以下の場合、電源制御部１４は、ステップＳ２０３へ移行する。
【００４１】
ステップＳ２０２では、電源制御部１４は、遮光制御部１３への電源供給を許可する。これにより、サンバイザ２が使用状態の側に開操作されている場合に、遮光部１０の光透過率を制御することが可能となる。
【００４２】
ステップＳ２０３では、電源制御部１４は、遮光制御部１３への電源供給を停止（禁止）する。
ステップＳ２０４では、電源制御部１４が遮光制御部１３への電源供給を許可している場合、遮光制御部１３は、検出信号Ｓｄ１及び検出信号Ｓｄ２の大きい方に基づいて、遮光部１０の光透過率を制御する。
【００４３】
図８に示すように、非使用状態の場合、第１照度検出部２３は、天井４に対向する。そのため、非使用状態の場合、第１照度検出部２３の検出信号Ｓｄ１が第２照度検出部２４の検出信号Ｓｄ２よりも小さくなるため、電源制御部１４は、検出信号Ｓｄ１に基づいて遮光制御部１３への電源供給を制御する。そして、検出信号Ｓｄ１が閾値ｔ１以下となることで、非使用状態において遮光制御部１３への電源供給を停止することができる。
【００４４】
また、ウインドシールドガラス３を通じて照射される照射光を防眩しようとサンバイザ２が使用状態をとる場合、第２照度検出部２４は、照射光に対向する。この場合、第２照度検出部２４の検出信号Ｓｄ２が第１照度検出部２３の検出信号Ｓｄ１よりも大きくなるため、遮光制御部１３は、検出信号Ｓｄ２に基づいて遮光部１０の光透過率を制御することができる。そのため、乗員が眩しさを感じることを抑制できる。
【００４５】
本例では、第１照度検出部２３と、第２照度検出部２４とを備え、第１照度検出部２３及び第２照度検出部２４の検出結果に基づき、電源制御部１４及び遮光制御部１３がそれぞれ電源供給と光透過率とを制御する構成とした。この構成によれば、第１照度検出部２３及び第２照度検出部２４により遮光部１０に対して反対方向から照射する照射光をそれぞれ検出することが可能になるとともに、これら照射光の強度に基づいて電源供給及び光透過率を制御することが可能になる。これは、防眩装置１の照射光の強度に適した作動の確保に一層有利となる。
【００４６】
本例では、電源制御部１４は、第１照度検出部２３及び第２照度検出部２４の検出結果のうち小さい方に基づき電源供給を制御し、遮光制御部１３は、第１照度検出部２３及び第２照度検出部２４の検出結果のうち大きい方に基づき光透過率を制御する構成とした。この構成によれば、照射光の強度が小さいときに遮光制御部１３への電源供給を切り替える場合に、照射光の強度の小さい方に基づいて制御することで、確実に電源供給を切り替えることができる。また、照射光の強度の大きい方に合わせて遮光部１０の光透過率を変化させることができるので、眩しさを抑制できる。よって、防眩装置１の照射光の強度に適した作動の確保に一層有利となる。
【００４７】
＜第３実施形態＞
次に、本発明の制御装置及び防眩装置の第３実施形態を、図９〜１０に従って説明する。なお、第１実施形態及び第２実施形態と同一の部材構成については、同一の符号を付し、その詳細な説明を省略し、異なる部分のみ詳述する。
【００４８】
防眩装置を、ウインドシールドガラスを通じて車内へ照射される照射光に対して防眩を行うだけでなく、運転席の側方に位置するドアガラス（フロントドアガラス）を通じて車内へ照射される照射光に対しての防眩を行うサイドバイザとして使用したいことがあった。本例は、このニーズに対処する技術である。
【００４９】
図９に示すように、本例のサンバイザ２は、支持軸５の軸Ｌ２回りに回動可能になっている。サンバイザ２は、軸Ｌ２を中心にして回転操作されることにより、ウインドシールドガラス３を通じて車内へ照射する照射光を防眩するフロント使用状態と、ドアガラス３０を通じて車内へ照射する照射光を防眩するサイド使用状態とを選択的にとる。
【００５０】
遮光部１０において、サイド使用状態のときにドアガラス３０に対向する面を第１の面２１とし、第１の面２１の反対側の面を第２の面２２とする。第２の面２２は、フロント使用状態のときにウインドシールドガラス３に対向する。サンバイザ２は、遮光部１０の第１の面２１に照射する照射光を検出する第１照度検出部２３と、遮光部１０の第２の面２２に照射する照射光を検出する第２照度検出部２４とを備える。
【００５１】
図１０に示すように、第１照度検出部２３及び第２照度検出部２４は、それぞれ検出した受光強度に応じて検出信号Ｓｄ１及び検出信号Ｓｄ２をコントローラ１２へ出力する。コントローラ１２の遮光制御部１３は、検出信号Ｓｄ１及び検出信号Ｓｄ２の大きい方に基づき、遮光部１０の光透過率を制御する。
【００５２】
次に、第３実施形態におけるサンバイザ２の作用及び効果を、図９を用いて説明する。
図９に示すように、サンバイザ２がウインドシールドガラス３を通じて車内へ照射される照射光を防眩するべくフロント使用状態をとっている場合、第２照度検出部２４は、照射光に対向する。そのため、第２照度検出部２４の検出信号Ｓｄ２が第１照度検出部２３の検出信号Ｓｄ１よりも大きくなり、遮光制御部１３は、検出信号Ｓｄ２に基づいて光透過率の制御を行う。これにより、眩しさを抑制することができる。
【００５３】
また、サンバイザ２がドアガラス３０を通じて車内へ照射される照射光を防眩するべくサイド使用状態をとっている場合、第１照度検出部２３は、照射光に対向する。そのため、第１照度検出部２３の検出信号Ｓｄ１が第２照度検出部２４の検出信号Ｓｄ２よりも大きくなり、遮光制御部１３は、検出信号Ｓｄ１に基づいて光透過率の制御を行う。これにより、眩しさを抑制することができる。このように、サンバイザ２は、サイドバイザとしての使用にも適した態様になっている。
【００５４】
本例では、一方から照射される照射光の強度と、前記一方と反対側の他方から照射される照射光の強度とを比較し、これら照射光の強度の大きい方に基づき前記光透過率を制御する遮光制御部１３を備えた。この構成によれば、反対方向から照射する照射光をそれぞれ検出し、それら照射光の強度の大きい方に基づいて、光透過率を制御する。そのため、照射光の強度に応じて光透過率を適切に制御することが可能になる。これにより、防眩装置１を照射光の強度に適した態様に作動させることが可能となる。また、サイドバイザとしての使用に好適な作動を可能にする。
【００５５】
本例では、第１照度検出部２３と第２照度検出部２４とを備え、遮光制御部１３は、第１照度検出部２３及び第２照度検出部２４の検出結果のうち大きい方を基に遮光部１０の光透過率を制御する構成とした。この構成によれば、第１照度検出部２３及び第２照度検出部２４の出力（検出信号Ｓｄ１及び検出信号Ｓｄ２）を用いて遮光部１０の光透過率を好適に制御することができる。これにより、防眩装置を照射光の強度に適した態様に作動させることが可能となる。また、サイドバイザとしての使用に好適な作動を可能にする。
【００５６】
なお、本実施形態は、以下のように変更して実施することができる。本実施形態及び以下の変更例は、技術的に矛盾しない範囲で互いに組み合わせて実施することができる。
・各実施形態において、照度検出部１１及び第１照度検出部２３及び第２照度検出部２４は、支持体６に設けられることに限定されず、遮光部１０に設けられてもよい。
【００５７】
・各実施形態において、照度検出部１１及び第１照度検出部２３及び第２照度検出部２４は、遮光部１０に照射する照射光の受光強度を検出することを前提に、遮光部１０とは別個に配置されてもよい。ただし、遮光部１０又は支持体６に設けられることにより、遮光部１０に照射される光を検出し易い。
【００５８】
・各実施形態において、遮光部１０の光透過率を変化させる機構は、特に限定されない。例えば、光透過率を変化させる機構として、エレクトロクロミック、フォトクロミック及び透過型液晶などが挙げられる。
【００５９】
・第１実施形態及び第２実施形態において、使用状態及び非使用状態の２状態は軸Ｌ１周りに回動する位置関係に基づき選択的にとるものに限定されない。例えば、遮光部１０が支持体６に対して直線往復動（スライド）するように設けられており、そのスライド位置に基づき使用状態及び非使用状態をとってもよい。スライドする場合でも、非使用状態で照度検出部１１（第１照度検出部２３）の検出する照射光の強度が小さくなるように、例えば照度検出部１１（第１照度検出部２３）の受光範囲が他の部材で遮られるように配置されることが好ましい。
【００６０】
・各実施形態において、電源制御部１４と遮光制御部１３とはコントローラ１２に設けられなくてもよい。それぞれ別部材であってもよいし、遮光部１０に設けられるのでもよい。また、制御装置としてサンバイザ２とは別個に設置されてもよい。
【００６１】
・第１実施形態及び第２実施形態において、電源制御部１４が電源供給を低下させる態様は、閾値ｔ及び閾値ｔ１を用いるものに限定されない。また、閾値ｔ及び閾値ｔ１を用いる場合でも、これら閾値は適宜変更可能である。
【００６２】
・第１実施形態及び第２実施形態において、電源制御部１４は、防眩の作動に必要な電源供給を停止（禁止）することに限定されず、電源供給を低下させればよい。
・各実施形態において、サンバイザ２への電源の供給方法は限定されない。例えば、車両のバッテリから供給されてもよいし、サンバイザ２に搭載される電池から供給されてもよい。
【００６３】
・各実施形態において、防眩装置１は車両に設置されるサンバイザ２に限定されず、種々の防眩を行う装置に適用可能である。
【符号の説明】
【００６４】
１…防眩装置、２…サンバイザ、６…支持体、１０…遮光部、１１…照度検出部、１２…コントローラ、１３…遮光制御部、１４…電源制御部、２１…第１の面、２２…第２の面、２３…第１照度検出部、２４…第２照度検出部。
【図１】
2020006874.tif 000003
【図２】
2020006874.tif 000004
【図３】
2020006874.tif 000005
【図４】
2020006874.tif 000006
【図５】
2020006874.tif 000007
【図６】
2020006874.tif 000008
【図７】
2020006874.tif 000009
【図８】
2020006874.tif 000010
【図９】
2020006874.tif 000011
【図１０】
2020006874.tif 000012